(57)【特許請求の範囲】
【請求項１】
ネットワークを経由して送信されたパケットを受信する複数のネットワークインターフェースと、
前記パケットに含まれる映像を識別するための映像ＩＤを検出し、前記パケットに含まれる映像を取り出して出力する複数の映像出力インターフェースと、
前記ネットワークインターフェースと前記映像出力インターフェースとを任意の組合せで接続するスイッチと、
前記ネットワークインターフェース、前記映像出力インターフェースおよび前記スイッチを制御する制御手段と
を備えた映像受信装置であって、
前記映像出力インターフェースは、所定の映像送信装置から前記ネットワークを介して所定の時間に映像の受信を開始する第１の映像出力インターフェースと、前記第１の映像出力インターフェースが前記所定の時間に受信を開始する映像と同一の映像を前記所定の映像送信装置から前記ネットワークを介して前記所定の時間経過前に受信する第２の映像出力インターフェースとを有し、
前記制御手段は、前記第１の映像出力インターフェースによって検出される映像ＩＤが変化した場合に、変化後の映像ＩＤが、前記第１の映像出力インターフェースと予め関連付けられた前記第２の映像出力インターフェースによって検出される映像ＩＤと異なっているときは、前記第１の映像出力インターフェースからの映像出力を停止させることを特徴とする映像受信装置。
【請求項２】
前記制御手段は、前記第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと一致するときは、前記第１の映像出力インターフェースからの映像出力を開始させることを特徴とする請求項１に記載の映像受信装置。
【請求項３】
前記第２の映像出力インターフェースは、受信する映像の品質を検証する映像品質検証手段を備えることを特徴とする請求項１に記載の映像受信装置。
【請求項４】
ネットワークを経由して送信されたパケットを受信する複数のネットワークインターフェースと、
前記パケットに含まれる映像を識別するための映像ＩＤを検出し、前記パケットに含まれる映像を取り出して出力する複数の映像出力インターフェースと、
前記ネットワークインターフェースと前記映像出力インターフェースとを任意の組合せで接続するスイッチと、
前記ネットワークインターフェース、前記映像出力インターフェースおよび前記スイッチを制御する制御手段と
を備えた映像受信装置であって、
前記制御手段は、第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと異なっているときは、前記第１の映像出力インターフェースからの映像出力を停止させる代わりに、前記第２の映像出力インターフェースと接続されているネットワークインターフェースが前記第１の映像出力インターフェースに接続されるように前記スイッチを設定することを特徴とする映像受信装置。
【請求項５】
ネットワークを経由して送信されたパケットに含まれるデータを映像へ変換して出力する複数の映像出力インターフェースを備える映像受信装置における映像の誤配信を防止するための誤配信防止方法であって、
第１の映像出力インターフェースが所定の映像送信装置から所定の時間に映像の受信を開始する経路を前記ネットワークの第１の経路から第２の経路へ変更するのに先立って、前記所定の映像送信装置から前記所定の時間に前記第１の映像出力インターフェースが受信を開始する映像と同一の映像を前記ネットワークの第３の経路を介して第２の映像出力インターフェースにて受信させる予備受信工程と、
前記第１の映像出力インターフェースが映像を受信する経路を前記第１の経路から前記第２の経路へ変更した後に、前記第１の映像出力インターフェースが受信する映像と前記第２の映像出力インターフェースが受信する映像との同一性を検証する同一性検証工程と
を含んだことを特徴とする誤配信防止方法。
【発明の詳細な説明】
【技術分野】
【０００１】
この発明は、ネットワークを介して送信された映像を受信する映像受信装置および同装置からの映像の誤配信を防止するための誤配信防止方法に関し、特に、映像の誤配信を有効に防止するとともに、障害からの迅速な復旧を実現することができる映像受信装置および誤配信防止方法に関する。
【背景技術】
【０００２】
従来より、ＡＴＭ（Asynchronous Transfer Mode）網等のネットワークを介して映像を伝送する技術が知られている。近年では、映像の圧縮伸張機能を備えた専用の伝送装置を使用することにより、放送用の映像のように高解像度の映像であってもネットワークを介してリアルタイムに伝送することが可能になっている。
【０００３】
特許文献１では、ネットワークを介して映像を伝送するための伝送装置を複数利用する環境において、運用管理のための工数を削減するために、遠隔に配置された管理装置から各伝送装置を管理するための技術が開示されている。この技術を用いることにより、管理者は、監視や操作のために、いちいち伝送装置の設置場所に出向く必要がなくなる。
【０００４】
また、特許文献１にて開示されている管理装置の機能を、ネットワークの経路制御や障害監視等を行う監視制御装置（ＯＰＳ：Operation System）と統合して、送信側の伝送装置と、受信側の伝送装置と、それらを接続するネットワークとを総合管理する技術も既に実用化されている。この技術を用いれば、映像の伝送のために必要な各種設定を事前に予約登録し、映像の伝送を無人運用することもできる。
【０００５】
【特許文献１】特開２００４−１５７８４号公報
【発明の開示】
【発明が解決しようとする課題】
【０００６】
しかしながら、監視制御装置を利用して映像の伝送を無人運用する場合、障害対応の迅速性が問題となることがあった。例えば、経路障害等により、映像が本来伝送されるべき伝送装置とは別の伝送装置へ伝送された場合、遠隔配置された監視制御装置がそれを検知して出力停止等の措置を実行させるまでにある程度の時間が必要であった。
【０００７】
このような障害による映像の誤配信は、たとえそれが短い時間であっても、テレビの生放送等の場合は重大な問題であり、解決策の実現が強く求められていた。
【０００８】
この発明は、上述した従来技術による問題点を解消するためになされたものであり、映像の誤配信を有効に防止するとともに、障害からの迅速な復旧を実現することができる映像受信装置および誤配信防止方法を提供することを目的とする。
【課題を解決するための手段】
【０００９】
上述した課題を解決し、目的を達成するため、本発明の一つの態様では、ネットワークを経由して送信されたパケットを受信する複数のネットワークインターフェースと、前記パケットに含まれる映像を識別するための映像ＩＤを検出し、前記パケットに含まれる映像を取り出して出力する複数の映像出力インターフェースと、前記ネットワークインターフェースと前記映像出力インターフェースとを任意の組合せで接続するスイッチと、前記ネットワークインターフェース、前記映像出力インターフェースおよび前記スイッチを制御する制御手段とを備えた映像受信装置であって、前記映像出力インターフェースは、所定の映像送信装置から所定の時間に映像の受信を開始する第１の映像出力インターフェースと、前記所定の時間に受信を開始する映像と同一の映像を前記所定の映像送信装置から前記所定の時間経過前に受信する第２の映像出力インターフェースとを有し、前記制御手段は、前記第１の映像出力インターフェースによって検出される映像ＩＤが変化した場合に、変化後の映像ＩＤが、前記第１の映像出力インターフェースと予め関連付けられた前記第２の映像出力インターフェースによって検出される映像ＩＤと異なっているときは、前記第１の映像出力インターフェースからの映像出力を停止させることを特徴とする。 
【００１０】
この発明の態様によれば、第１の映像出力インターフェースが映像を受信する経路を前記第１の経路から第２の経路へ変更した後に、第１の映像出力インターフェースが受信する映像の映像ＩＤと、第１の映像出力インターフェースと関連付けられた第２の映像出力インターフェースが受信する映像の映像ＩＤとを比較し、一致しない場合には映像の出力を停止するように構成したので、映像切り替え時に誤った映像を受信した場合に、映像受信装置単独の判断で映像の出力停止を迅速に実行することができる。
【００１１】
また、本発明の他の態様では、上記の発明の態様において、前記制御手段は、前記第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと一致するときは、前記第１の映像出力インターフェースからの映像出力を開始させることを特徴とする。
【００１２】
この発明の態様によれば、第１の映像出力インターフェースが受信する映像の映像ＩＤと、第２の映像出力インターフェースが受信する映像の映像ＩＤを比較し、両者が一致する場合に映像の出力を開始するように構成したので、障害が解消された場合に、映像受信装置単独の判断で映像の出力再開を迅速に実行することができる。
【００１３】
また、本発明の他の態様では、上記の発明の態様において、前記制御手段は、前記第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと異なっているときは、前記第１の映像出力インターフェースからの映像出力を停止させる代わりに、前記第２の映像出力インターフェースと接続されているネットワークインターフェースが前記第１の映像出力インターフェースに接続されるように前記スイッチを設定することを特徴とする。
【００１４】
この発明の態様によれば、映像切り替え時に誤った映像を受信した場合に、予め第２の映像出力インターフェースで映像を受信するために使用していた経路を映像出力用に転用するように構成したので、障害からの回復を迅速に実現することができる。
【００１５】
また、本発明の他の態様では、上記の発明の態様において、前記第２の映像出力インターフェースは、受信する映像の品質を検証する映像品質検証手段を備えることを特徴とする。
【００１６】
この発明の態様によれば、切り替えに先行して映像を受信する第２の映像出力インターフェースにおいて映像の品質を検証するように構成したので、切り替え後の映像の品質を保証することができる。
【００１７】
また、本発明の他の態様では、ネットワークを経由して送信されたパケットに含まれるデータを映像へ変換して出力する複数の映像出力インターフェースを備える映像受信装置における映像の誤配信を防止するための誤配信防止方法であって、第１の映像出力インターフェースが所定の映像送信装置から所定の時間に映像の受信を開始する経路を第１の経路から第２の経路へ変更するのに先立って、前記所定の映像送信装置から前記所定の時間に前記第１の映像出力インターフェースが受信を開始する映像と同一の映像を第３の経路を介して第２の映像出力インターフェースにて受信させる予備受信工程と、前記第１の映像出力インターフェースが映像を受信する経路を前記第１の経路から前記第２の経路へ変更した後に、前記第１の映像出力インターフェースが受信する映像と前記第２の映像出力インターフェースが受信する映像との同一性を検証する同一性検証工程とを含んだことを特徴とする。
【００１８】
この発明の態様によれば、第１の映像出力インターフェースが映像を受信する経路を第１の経路から第２の経路へ変更するのに先立って、第２の経路から送信される映像と同一の映像を第２の映像出力インターフェースにて受信させ、第１の映像出力インターフェースが映像を受信する経路を第１の経路から第２の経路へ変更した後に、第１の映像出力インターフェースが受信する映像と第２の映像出力インターフェースが受信する映像との同一性を検証するように構成したので、映像切り替え時に誤った映像を受信した場合に、映像受信装置単独の判断で映像の出力停止等の対応を迅速に実行することができる。
【発明の効果】
【００１９】
本発明の一つの態様によれば、第１の映像出力インターフェースが映像を受信する経路を第１の経路から第２の経路へ変更した後に、第１の映像出力インターフェースが受信する映像の映像ＩＤと、第１の映像出力インターフェースと関連付けられた第２の映像出力インターフェースが受信する映像の映像ＩＤとを比較し、一致しない場合には映像の出力を停止するように構成したので、映像切り替え時に誤った映像を受信した場合に、映像受信装置単独の判断で映像の出力停止を迅速に実行することができるという効果を奏する。
【００２０】
また、本発明の他の態様によれば、第１の映像出力インターフェースが受信する映像の映像ＩＤと、第２の映像出力インターフェースが受信する映像の映像ＩＤとを比較し、両者が一致する場合に映像の出力を開始するように構成したので、障害が解消された場合に、映像受信装置単独の判断で映像の出力再開を迅速に実行することができるという効果を奏する。
【００２１】
また、本発明の他の態様によれば、映像切り替え時に誤った映像を受信した場合に、予め第２の映像出力インターフェースで映像を受信するために使用していた経路を映像出力用に転用するように構成したので、障害からの回復を迅速に実現することができるという効果を奏する。
【００２２】
また、本発明の他の態様によれば、切り替えに先行して映像を受信する第２の映像出力インターフェースにおいて映像の品質を検証するように構成したので、切り替え後の映像の品質を保証することができるという効果を奏する。
【００２３】
また、本発明の他の態様によれば、第１の映像出力インターフェースが映像を受信する経路を第１の経路から第２の経路へ変更するのに先立って、第２の経路から送信される映像と同一の映像を第２の映像出力インターフェースにて受信させ、第１の映像出力インターフェースが映像を受信する経路を第１の経路から第２の経路へ変更した後に、第１の映像出力インターフェースが受信する映像と第２の映像出力インターフェースが受信する映像との同一性を検証するように構成したので、映像切り替え時に誤った映像を受信した場合に、映像受信装置単独の判断で映像の出力停止等の対応を迅速に実行することができるという効果を奏する。
【発明を実施するための最良の形態】
【００２４】
以下に添付図面を参照して、本発明に係る映像受信装置および誤配信防止方法の好適な実施の形態を詳細に説明する。
【実施例】
【００２５】
まず、従来の誤配信防止方法の概要について説明する。図１１〜１３は、従来の誤配信防止方法の概要について説明するための説明図である。
【００２６】
これらの図において示した映像配信システムは、映像送信装置１０１〜１０３と、映像受信装置２００と、監視制御装置３００とをネットワーク１０で接続して構成されている。ネットワーク１０は、送信元と送信先の間の経路を動的に設定可能な高速ネットワークであり、例えば、ＡＴＭ網、ＳＤＨ（Synchronous Digital Hierarchy）網もしくは広域イーサネット（登録商標）網がこれに相当する。
【００２７】
映像送信装置１０１〜１０３は、入力された映像信号をネットワーク１０が伝送可能な信号へ変換して送信する装置である。映像送信装置１０１〜１０３は、カメラで撮影された映像や再生装置で再生された映像が入力されると、その映像を所定の方式で圧縮し、パケットのペイロード部に埋め込んでネットワーク１０へ送出する。
【００２８】
映像送信装置１０１〜１０３は、圧縮した映像をパケットのペイロード部に埋め込むときに、映像を識別するための映像ＩＤをパケットの所定の位置に設定する。図１１〜１３に示した例では、映像送信装置１０１は、「１」という映像ＩＤをパケットに埋め込み、映像送信装置１０２は、「２」という映像ＩＤをパケットに埋め込み、映像送信装置１０３は、「３」という映像ＩＤをパケットに埋め込んでいる。
【００２９】
映像受信装置２００は、ネットワーク１０を介して受信した信号を映像信号に変換して出力する装置であり、映像出力インターフェース２１０を備える。映像出力インターフェース２１０は、映像受信装置２００が受信したパケットに埋め込まれた映像データを伸張処理して出力する装置である。なお、映像受信装置２００は、複数の映像出力インターフェース２１０を備えることもできる。
【００３０】
また、映像出力インターフェース２１０は、映像受信装置２００が受信したパケットに埋め込まれた映像ＩＤを検出する機能を備える。そして、映像受信装置２００は、映像出力インターフェース２１０によって検出された映像ＩＤが変化すると、その変化の内容を監視制御装置３００へ通知するように構成されている。
【００３１】
監視制御装置３００は、映像送信装置１０１〜１０３、映像受信装置２００およびネットワーク１０を総合的に監視制御する装置である。監視制御装置３００は、予め登録された情報に従って、映像送信装置１０１〜１０３、映像受信装置２００およびネットワーク１０に対してスケジュールを与え、所定の時間に所定の映像が映像受信装置２００から出力されるように制御する。
【００３２】
また、監視制御装置３００は、映像送信装置１０１〜１０３、映像受信装置２００およびネットワーク１０の状態を監視し、何らかの異常を検知した場合には、それを解消するための処理を実行する。例えば、ある映像送信装置から映像受信装置２００へ映像データを伝送する経路に異常が発生した場合、監視制御装置３００は、ネットワーク１０を構成する中継装置に指示を送り、別の経路で映像データが伝送されるように制御する。
【００３３】
なお、図１１〜１３に示した映像配信システムの構成は一例であり、ネットワーク１０に接続される映像送信装置および映像受信装置の数は、何台であっても構わない。
【００３４】
図１１は、映像受信装置２００が出力する映像を切り替えるため、監視制御装置３００が映像配信システムに対してスケジュールを与える場面を示している。現状、映像受信装置２００は、映像送信装置１０１から送信される映像ＩＤが「１」の映像を、経路２１を通じて受信し、出力している。そして、映像受信装置２００は、所定の時間になったならば、出力する映像を、映像送信装置１０２から送信される映像ＩＤが「２」の映像へ切り替える必要があるものとする。
【００３５】
監視制御装置３００は、映像の切り替えを実現するために、ネットワーク１０を構成する中継装置に対して、所定の時間に、映像送信装置１０２と映像受信装置２００を接続する経路２２を設定するようにスケジュールを与える。また、映像送信装置１０２に対して、所定の時間に、経路２２へ映像の送信を開始するようにスケジュールを与え、映像受信装置２００に対して、所定の時間に、出力する映像を経路２２から送信されるものに切り替えるようにスケジュールを与える。
【００３６】
図１２は、映像の切り替えを実行する時間になった場面を示している。ここでは、何らかの障害により、映像送信装置１０２と映像受信装置２００が接続されず、経路２３を介して映像送信装置１０３と映像受信装置２００が接続されてしまったものとする。
【００３７】
映像受信装置２００は、スケジュール通りに設定を切り替え、新たに接続された経路から送信される映像の出力を開始する。このとき、映像出力インターフェース２１０は、送信されている映像ＩＤが「３」であると検出し、映像受信装置２００は、映像ＩＤが「１」から「３」へ切り替わった旨を監視制御装置３００へ通知する。
【００３８】
図１３は、監視制御装置３００が映像ＩＤの変化の通知を受けた後の場面を示している。監視制御装置３００は、映像受信装置２００から通知された映像ＩＤの変化が予定されていた内容と異なることを検知すると、映像の誤配信を防止するために、映像受信装置２００に対して映像の出力停止を指示する。
【００３９】
その後、監視制御装置３００は、正常な映像伝達を実現するために、経路の再設定等の処置を行う。そして、経路の再設定等が正常に行われ、映像ＩＤが「３」から「２」へ切り替わった旨の通知を映像受信装置２００から受けると、監視制御装置３００は、映像受信装置２００に対して映像の出力開始を指示する。
【００４０】
このように、従来の誤配信防止方法においては、監視制御装置３００が、映像受信装置２００から通知される情報に基づいて誤配信を検知し、映像受信装置２００に対して映像の出力の停止を指示していた。このため、映像受信装置２００が、スケジュールに従って設定を変更した後、映像の出力を停止させるまでに数秒を要し、この間は、映像の誤配信が発生していた。
【００４１】
次に、本実施例に係る誤配信防止方法の概要について説明する。図１および２は、本実施例に係る誤配信防止方法の概要について説明するための説明図である。
【００４２】
これらの図において示した映像配信システムは、映像送信装置４０１〜４０３と、映像受信装置５００と、監視制御装置６００とをネットワーク３０で接続して構成されている。ネットワーク３０は、送信元と送信先の間の経路を動的に設定可能な高速ネットワークであり、例えば、ＡＴＭ網、ＳＤＨ網もしくは広域イーサネット（登録商標）網がこれに相当する。
【００４３】
映像送信装置４０１〜４０３は、入力された映像信号をネットワーク３０が伝送可能な信号へ変換して送信する装置である。映像送信装置４０１〜４０３は、カメラで撮影された映像や再生装置で再生された映像が入力されると、その映像を所定の方式で圧縮し、パケットのペイロード部に埋め込んでネットワーク３０へ送出する。
【００４４】
映像送信装置４０１〜４０３は、圧縮した映像をパケットのペイロード部に埋め込むときに、映像を識別するための映像ＩＤをパケットの所定の位置に設定する。図１および２に示した例では、映像送信装置４０１は、「１」という映像ＩＤをパケットに埋め込み、映像送信装置４０２は、「２」という映像ＩＤをパケットに埋め込み、映像送信装置４０３は、「３」という映像ＩＤをパケットに埋め込んでいる。
【００４５】
映像受信装置５００は、ネットワーク３０を介して受信した信号を映像信号に変換して出力する装置であり、映像出力インターフェース５１０1および５１０2を備える。映像出力インターフェース５１０1および５１０2は、映像受信装置５００が受信したパケットに埋め込まれた映像データを伸張処理して出力する装置である。なお、映像受信装置５００は、映像出力インターフェース５１０1および５１０2と同様の映像出力インターフェースを３個以上備えることもできる。
【００４６】
また、映像出力インターフェース５１０1および５１０2は、映像受信装置５００が受信したパケットに埋め込まれた映像ＩＤを検出する機能を備える。そして、映像受信装置５００は、映像出力インターフェース５１０1および５１０2によって検出された映像ＩＤが変化すると、その変化の内容を監視制御装置６００へ通知するように構成されている。
【００４７】
監視制御装置６００は、映像送信装置４０１〜４０３、映像受信装置５００およびネットワーク３０を総合的に監視制御する装置である。監視制御装置６００は、予め登録された情報に従って、映像送信装置４０１〜４０３、映像受信装置５００およびネットワーク３０に対してスケジュールを与え、所定の時間に所定の映像が映像受信装置５００から出力されるように制御する。
【００４８】
また、監視制御装置６００は、映像送信装置４０１〜４０３、映像受信装置５００およびネットワーク３０の状態を監視し、何らかの異常を検知した場合には、それを解消するための処理を実行する。例えば、ある映像送信装置から映像受信装置５００へ映像データを伝送する経路に異常が発生した場合、監視制御装置６００は、ネットワーク３０を構成する中継装置に指示を送り、別の経路で映像データが伝送されるように制御する。
【００４９】
なお、図１および２に示した映像配信システムの構成は一例であり、ネットワーク３０に接続される映像送信装置および映像受信装置の数は、何台であっても構わない。
【００５０】
図１は、映像受信装置５００が出力する映像を切り替えるため、監視制御装置６００が映像配信システムに対してスケジュールを与えた後の場面を示している。現状、映像受信装置５００は、映像送信装置４０１から送信される映像ＩＤが「１」の映像を、経路４１を通じて受信し、出力している。そして、映像受信装置５００は、所定の時間になったならば、出力する映像を、映像送信装置４０２から送信される映像ＩＤが「２」の映像へ切り替える必要があるものとする。
【００５１】
監視制御装置６００は、映像の切り替えを実現するために、ネットワーク３０を構成する中継装置に対して、所定の時間に、映像送信装置４０２と映像受信装置５００を接続する経路を設定するようにスケジュールを与える。また、映像送信装置４０２に対して、所定の時間に、その経路へ映像の送信を開始するようにスケジュールを与え、映像受信装置５００に対して、所定の時間に、その経路からの映像を映像出力インターフェース５１０1にて受信し、出力を開始するようにスケジュールを与える。
【００５２】
また、監視制御装置６００は、映像の切り替えに先立って、未使用の映像出力インターフェース５１０2が経路４２を通じて映像送信装置４０２から送信される映像を受信するように設定し、さらに、映像出力インターフェース５１０1に対して映像出力インターフェース５１０2を関連付けるように映像受信装置５００に指示する。
【００５３】
これにより、映像出力インターフェース５１０2は、映像送信装置４０２から送信される映像の映像ＩＤが「２」であることを認識する。なお、ここで経路障害等により映像の誤送信が生じている場合は、映像出力インターフェース５１０2が受信する映像ＩＤの変化を監視制御装置６００が監視制御装置６００へ通知する際に誤送信が検知され、正しい映像が受信されるように監視制御装置６００によって設定変更が行われる。
【００５４】
図２は、映像の切り替えを実行する時間になった場面を示している。ここでは、何らかの障害により、映像送信装置４０２と映像受信装置５００が接続されず、経路４３を介して映像送信装置４０３と映像受信装置５００が接続されてしまったものとする。
【００５５】
映像受信装置５００は、スケジュール通りに設定を切り替え、新たに接続された経路から送信される映像の出力を開始する。そして、映像出力インターフェース５１０1は、送信されている映像ＩＤが「３」であることを検出する。
【００５６】
そして、映像受信装置５００は、この値を、映像出力インターフェース５１０1と関連付けされている映像出力インターフェース５１０2が受信していた映像ＩＤである「２」と比較し、異なっていることを検知すると、直ちに映像出力インターフェース５１０1からの映像の出力を停止させる。
【００５７】
また、映像受信装置５００は、映像出力インターフェース５１０2が受信した映像の映像ＩＤが「１」から「３」へ切り替わった旨を監視制御装置６００へ通知する。そして、監視制御装置６００は、映像受信装置５００から通知された映像ＩＤの変化が予定されていた内容と異なることを検知すると、正常な映像伝達を実現するために、経路の再設定等の指示を行う。
【００５８】
経路の再設定等が行われ、映像送信装置４０２の映像が映像受信装置５００へ伝達されるようになると、映像出力インターフェース５１０1は、送信されている映像の映像ＩＤが「２」であることを検出する。そして、映像受信装置５００は、この値を、映像出力インターフェース５１０1と関連付けされている映像出力インターフェース５１０2が受信していた映像ＩＤである「２」と比較し、一致することを検知すると、映像出力インターフェース５１０1からの映像の出力を開始する。
【００５９】
このように、本実施例に係る誤配信防止方法においては、映像を受信する映像出力インターフェースとは別の映像出力インターフェースにおいて事前に映像を受信して切り替え後の映像ＩＤを事前に認識し、映像の切り替え後にこれと異なる映像ＩＤの映像を受信した場合には、直ちに映像の出力を停止するように構成したので、誤配信が生じる時間を極めて短くすることができる。
【００６０】
また、障害が解消し、正しい映像が伝達されるようになった場合に、監視制御装置６００の指示を待つことなく、即座に映像の出力を開始するように構成したので、障害から速やかに回復することができる。これらの構成は、従来の映像受信装置２００の構成を大きく変更することなく、低コストで実現することができる。
【００６１】
なお、映像の切り替え時に異なる映像ＩＤの映像を受信した場合に、映像の出力を停止する代わりに、映像受信装置５００内のクロスコネクトを切り替えて、別の映像出力インターフェースにおいて事前に映像を受信するために使用していた経路（以下、「予約ＩＤ検出経路」という）を映像出力用の映像出力インターフェースに接続し、直ちに正しい映像が出力されるように構成することもできる。
【００６２】
また、予約ＩＤ検出経路を品質保証のために利用することもできる。例えば、映像送信装置４０１〜４０３の映像処理機能に障害が発生していた場合であっても、通信機能に問題がなければ、映像受信装置５００が映像データを受信し、映像データの伸張処理を実行するまでは障害を発見することができない場合がある。映像データは、パケットのペイロード部へ埋め込まれるため、送信される映像に異常があっても、通信は正常に行われるためである。
【００６３】
予約ＩＤ検出経路では、映像の切り替えに先立って、切り替え後の送信元から映像が送信されるため、この映像の品質を検証することで、送信元の映像送信装置の映像処理機能の障害を事前に検知し、映像の切り替えが実行される前に対応をとることが可能になる。
【００６４】
また、映像の切り替え後に、予約ＩＤ検出経路をそのまま映像伝達用の正式な経路として利用する場合に備えて、映像の切り替えに先立って、経路の通信品質を確認して遅延等の障害を事前に検知し、映像の切り替えが実行される前に対応をとることも可能になる。
【００６５】
次に、図１および２に示した映像受信装置５００の構成について説明する。図３は、映像受信装置５００の構成を示す機能ブロック図である。同図に示すように、映像受信装置５００は、映像出力インターフェース５１０1〜５１０mと、ネットワークインターフェース５２０1〜５２０nと、スイッチ５３０と、制御部５４０と、クロック５５０とを有する。
【００６６】
映像出力インターフェース５１０1〜５１０mは、ネットワークを介して受信されたパケットに含まれる映像を伸張処理して出力する装置である。映像出力インターフェース５１０1〜５１０mは、それぞれユニークなインターフェース番号が付与されている。映像出力インターフェース５１０1〜５１０mの構成の詳細については後述する。
【００６７】
ネットワークインターフェース５２０1〜５２０nは、ネットワークを介してパケットを送受信するための装置であり、映像受信装置５００が接続されたネットワークに対応するプロトコルに従って通信制御を実施する。
【００６８】
スイッチ５３０は、映像出力インターフェース５１０1〜５１０mと、ネットワークインターフェース５２０1〜５２０nとをクロスコネクトする接続装置であり、制御部５４０の指示に従って任意の映像出力インターフェースとネットワークインターフェースの組合せを接続する。
【００６９】
制御部５４０は、映像受信装置５００を全体制御する制御部である。また、制御部５４０は、監視制御装置６００から各種指示を受けてこれを実行し、必要に応じて、映像受信装置５００の状態の変化を監視制御装置６００へ通知する。制御部５４０の構成の詳細については後述する。
【００７０】
クロック５５０は、計時機能を有する装置であり、監視制御装置６００から指示されたスケジュールを実行するために制御部５４０が日時を確認する等の目的で使用される。
【００７１】
次に、図３に示した映像出力インターフェース５１０1〜５１０mの構成について説明する。映像出力インターフェース５１０1〜５１０mは、いずれも同様の構成を有するので、ここでは映像出力インターフェース５１０1を例にして説明する。
【００７２】
図４は、映像出力インターフェース５１０1の構成を示す機能ブロック図である。同図に示すように、映像出力インターフェース５１０1は、ＩＤ検出部５１１1および５１１2と、通信品質検証部５１３を含む無中断制御部５１２と、デコーダ５１４と、映像品質検証部５１５と、状態レジスタ５１６とを有する。
【００７３】
ＩＤ検出部５１１1および５１１2は、映像データが埋め込まれたパケットの所定の位置を読み取ることにより、送信されている映像の映像ＩＤを検出し、検出結果を状態レジスタ５１６に設定する処理部である。
【００７４】
映像出力インターフェース５１０1は、映像の伝送を中断させないために、同一の映像データを異なる経路で受信し、一方の経路で通信障害が発生しても他方の経路で送信される映像データを用いて映像の伝送を継続することができるように構成されている。そして、ＩＤ検出部５１１1は、その一方の経路を経由して送信される０系信号を受信し、５１１2は、他方の経路を経由して送信される１系信号を受信する。
【００７５】
図１４は、映像を二重化して伝送する例を示す図である。同図においては、映像送信装置４０４は、映像ＩＤが「１」である同一の映像を経路４４（０系）と経路４５（１系）という２つの経路を介して映像受信装置５０１へ送信している。そして、映像受信装置５０１は、正常に受信されたいずれか一方の映像を出力している。
【００７６】
無中断制御部５１２は、０系信号と１系信号の正常に通信が行われているいずれか一方の信号を選択してデコーダ５１４へ転送する処理部である。無中断制御部５１２は、０系信号と１系信号の遅延差を吸収するためのバッファを有するが、このバッファでも遅延差を吸収することができなくなった場合は、通信品質検証部５１３がそれを検知し、その旨を状態レジスタ５１６に設定する。
【００７７】
デコーダ５１４は、無中断制御部５１２から転送された信号に含まれる映像データを伸張処理して復元し、出力する処理部である。映像品質検証部５１５は、デコーダ５１４により復元された映像の品質を検証する処理部であり、映像の品質に問題があればその旨を状態レジスタ５１６に設定する。
【００７８】
状態レジスタ５１６は、映像出力インターフェース５１０1の各種状態が設定されるレジスタである。図５は、状態レジスタ５１６の一例を示す図である。同図に示した例では、状態レジスタ５１６は、０系映像ＩＤ、１系映像ＩＤ、受信ＩＤ変化フラグ、通信品質フラグおよび映像品質フラグという項目を有している。
【００７９】
０系映像ＩＤは、０系信号の映像ＩＤが設定される項目であり、ＩＤ検出部５１１1によって設定される。１系映像ＩＤは、１系信号の映像ＩＤが設定される項目であり、ＩＤ検出部５１１2によって設定される。受信ＩＤ変化フラグは、ＩＤ検出部５１１1もしくはＩＤ検出部５１１2が状態レジスタ５１６に映像ＩＤを設定するときに、値が以前と異なっている場合に「１」に設定される。
【００８０】
通信品質フラグは、０系と１系の遅延差を吸収できなくなった場合等に通信品質検証部５１３によって「１」に設定され、通信品質に問題が生じていない場合は「０」に設定される。映像品質フラグは、デコーダ５１４により復元された映像に品質に問題がある場合に映像品質検証部５１５によって「１」に設定され、映像の品質に問題が生じていない場合は「０」に設定される。
【００８１】
次に、図３に示した制御部５４０の構成について説明する。図６は、制御部５４０の構成を示す機能ブロック図である。同図に示すように、制御部５４０は、監視制御装置対応部５４１と、ネットワーク制御部５４２と、スイッチ制御部５４３と、映像出力制御部５４４と、スケジュール記憶部５４５と、関連付け記憶部５４６とを有する。
【００８２】
監視制御装置対応部５４１は、監視制御装置６００からの指示を受け付け、指示内容に応じた制御をネットワーク制御部５４２、スイッチ制御部５４３もしくは映像出力制御部５４４に行わせたり、スケジュール記憶部５４５もしくは関連付け記憶部５４６を更新したりする処理部である。また、監視制御装置対応部５４１は、ネットワーク制御部５４２、スイッチ制御部５４３もしくは映像出力制御部５４４から通知を依頼された情報を監視制御装置６００へ通知する処理も行う。
【００８３】
ネットワーク制御部５４２は、ネットワークインターフェース５２０1〜５２０nを制御する制御部であり、スイッチ制御部５４３は、スイッチ５３０を制御する制御部であり、映像出力制御部５４４は、映像出力インターフェース５１０1〜５１０mを制御する制御部である。映像出力制御部５４４は、映像出力インターフェース５１０1〜５１０mの状態レジスタ５１６を定期的に参照し、状態を確認して必要な処理を実行する。
【００８４】
スケジュール記憶部５４５は、監視制御装置６００から与えられた各種設定変更のスケジュールが記憶される記憶部であり、ネットワーク制御部５４２、スイッチ制御部５４３および映像出力制御部５４４は、スケジュール記憶部５４５を定期的に参照し、実行すべき時間に達した設定変更があれば、それを実行する。
【００８５】
関連付け記憶部５４６は、監視制御装置６００から指定された映像出力インターフェースの関連付けに関する情報が記憶される記憶部である。図７は、関連付け記憶部５４６に記憶される情報の一例を示す図である。同図は、「１」というインターフェース番号をもつ映像出力インターフェース５１０1に、「３」というインターフェース番号をもつ映像出力インターフェース５１０3が関連付けられている場合の例を示している。
【００８６】
他の映像出力インターフェースと関連付けされた映像出力インターフェースは、受信する映像の映像ＩＤが変化した場合に、変化後の映像ＩＤが、関連付けられた映像出力インターフェースが受信している（もしくは、受信していた）映像の映像ＩＤと一致しない場合は、即座に映像の出力を停止するように映像出力制御部５４４によって制御される。また、受信する映像の映像ＩＤが変化した場合に、変化後の映像ＩＤが、関連付けられた映像出力インターフェースが受信している（もしくは、受信していた）映像の映像ＩＤと一致するようになった場合は、即座に映像の出力を開始するように制御される。
【００８７】
監視制御装置６００は、「１」というインターフェース番号をもつ映像出力インターフェース５１０1から出力される映像Ａを映像Ｂへ切り替えるための設定変更のスケジュールを映像受信装置５００へ与える場合、未使用の映像出力インターフェースの１つ、例えば、「３」というインターフェース番号をもつ映像出力インターフェース５１０3が事前に映像Ｂを受信するように設定し、映像出力インターフェース５１０1に映像出力インターフェース５１０3を関連付けるように映像受信装置５００に指示する。
【００８８】
この結果、スケジュール記憶部５４５には、所定の時間に映像Ａを映像Ｂへ切り替えるための設定変更のスケジュールが記憶され、関連付け記憶部５４６には、図７に示したような関連付けが記憶される。そして、映像出力インターフェース５１０3は、事前に映像Ｂの受信を開始すると、状態レジスタ５１６の０系映像ＩＤと１系映像ＩＤを更新し、映像ＩＤ変化フラグに「１」を設定する。
【００８９】
そして、映像出力制御部５４４は、映像出力インターフェース５１０1〜５１０mの状態レジスタ５１６を定期的に参照する際に、映像出力インターフェース５１０3の状態レジスタ５１６の映像ＩＤ変化フラグが「１」に設定されていることを検出すると、関連付け記憶部５４６を参照し、映像出力インターフェース５１０3に関連付けられている映像出力インターフェースがあるか否かを確認する。
【００９０】
この場合、映像出力インターフェース５１０3に関連付けられている映像出力インターフェースはないので、映像出力制御部５４４は、映像出力の停止や開始を行うことなく、監視制御装置６００に映像ＩＤが変化した旨を通知するように監視制御装置対応部５４１に依頼する。この通知には、インターフェース番号と、０系映像ＩＤおよび１系映像ＩＤの値が含まれる。そして、映像出力制御部５４４は、映像ＩＤ変化フラグを「０」にリセットする。
【００９１】
監視制御装置６００は、映像受信装置５００から映像ＩＤが変化した旨の通知を受けると、変化後の映像ＩＤが正しいか否かを確認し、一方でも間違っていれば、正しい映像が受信されるように、通信経路の再設定等の処置を実施する。
【００９２】
また、映像出力制御部５４４は、映像出力インターフェース５１０1〜５１０mの状態レジスタ５１６を定期的に参照する際に、映像出力インターフェース５１０3の状態レジスタ５１６の通信品質フラグに「１」が設定されていることを検出すると、通信品質に問題がある旨を監視制御装置６００に通知するように監視制御装置対応部５４１に依頼する。この通知には、インターフェース番号が含まれる。
【００９３】
監視制御装置６００は、映像受信装置５００から通信品質に問題がある旨の通知を受けると、通信品質が改善されるように、通信経路の再設定等の処置を実施する。
【００９４】
また、映像出力制御部５４４は、映像出力インターフェース５１０1〜５１０mの状態レジスタ５１６を定期的に参照する際に、映像出力インターフェース５１０3の状態レジスタ５１６の映像品質フラグに「１」が設定されていることを検出すると、映像品質に問題がある旨を監視制御装置６００に通知するように監視制御装置対応部５４１に依頼する。この通知には、インターフェース番号が含まれる。
【００９５】
監視制御装置６００は、映像受信装置５００から映像品質に問題がある旨の通知を受けると、映像品質を改善するために可能な処置があればそれを実施する。もしも、可能な処置がない場合は、映像品質に問題がある旨を管理者等に通知し、人為的な対応を求める。
【００９６】
こうして、事前に映像Ｂを受信する映像出力インターフェース５１０3は、スケジュールに従って映像の切り替えが実施される時点以前に、十分な品質をもった正しい映像を受信し、映像Ｂの映像ＩＤを認識することができる。また、映像の切り替えが実施される前に、映像Ｂを送信する映像送信装置が正常であることも確認される。
【００９７】
そして、映像の切り替えを実施する時間が到来すると、映像受信装置５００は、指定された通りの設定変更を実行する。そして、映像出力を担当する映像出力インターフェース５１０1は、新たな映像の受信を開始すると、状態レジスタ５１６の０系映像ＩＤと１系映像ＩＤを更新し、映像ＩＤ変化フラグに「１」を設定する。
【００９８】
そして、映像出力制御部５４４は、映像出力インターフェース５１０1〜５１０mの状態レジスタ５１６を定期的に参照する際に、映像出力インターフェース５１０1の状態レジスタ５１６の映像ＩＤ変化フラグが「１」に設定されていることを検出すると、関連付け記憶部５４６を参照し、映像出力インターフェース５１０1に関連付けられている映像出力インターフェースがあるか否かを確認する。
【００９９】
この場合、映像出力インターフェース５１０3が映像出力インターフェース５１０1に関連付けられているので、映像出力制御部５４４は、映像出力インターフェース５１０1が受信している（もしくは、受信していた）映像ＩＤと、映像出力インターフェース５１０3が受信している映像ＩＤとを比較する。そして、両者が一致しない場合は、映像出力インターフェース５１０1からの映像出力を即座に停止させる。
【０１００】
このように、監視制御装置６００の判断を待つことなく、映像出力制御部５４４の判断によって誤った映像の出力を停止することにより、映像の誤配信が生じる時間を極めて短く抑制することができる。
【０１０１】
また、このとき、映像の出力を停止する代わりに、スイッチ５３０のクロスコネクトを変更し、映像出力インターフェース５１０3が映像を受信している経路を映像出力インターフェース５１０1へ接続しなおすことにより、正しい映像の配信を極めて短い時間で実現することもできる。また、映像ＩＤが異なるのが０系もしくは１系の一方のみの場合は、映像ＩＤが異なる系を切り離すことにより、無停止で映像配信を継続することもできる。
【０１０２】
そして、映像出力制御部５４４は、監視制御装置６００に映像ＩＤが変化した旨を通知し、その後、映像ＩＤ変化フラグを「０」にリセットする。監視制御装置６００は、映像受信装置５００から映像ＩＤが変化した旨の通知を受けると、変化後の映像ＩＤが正しいか否かを確認し、一方でも間違っていれば、正しい映像が受信されるように、通信経路の再設定等の処置を実施する。
【０１０３】
次に、図６に示した映像出力制御部５４４の処理手順について説明する。図８は、映像出力制御部５４４の処理手順を示すフローチャートである。同図に示すように、映像出力制御部５４４は、所定の順序に従って映像出力インターフェース５１０1〜５１０mから一つを選択し（ステップＳ１０１）、その状態レジスタ５１６の内容を読み取る（ステップＳ１０２）。
【０１０４】
ここで、通信品質に問題がある旨が設定されていれば（ステップＳ１０３肯定）、監視制御装置６００へその旨を通知するように監視制御装置対応部５４１に依頼する（ステップＳ１０４）。また、映像品質に問題がある旨が設定されていれば（ステップＳ１０５肯定）、監視制御装置６００へその旨を通知するように監視制御装置対応部５４１に依頼する（ステップＳ１０６）。
【０１０５】
そして、映像ＩＤ変化フラグの値が「１」の場合、すなわち、受信する映像の映像ＩＤが変化していた場合は（ステップＳ１０７肯定）、後述する誤配信検出処理を実行する（ステップＳ１０８）。こうして、ステップＳ１０１で選択した映像出力インターフェースに関する一連の処理を完了した後、ステップＳ１０１へ復帰し、次の映像出力インターフェースの処理へ遷移する。
【０１０６】
図９は、誤配信検出処理の処理手順を示す図である。同図に示すように、受信する映像の映像ＩＤが変化していた場合、映像出力制御部５４４は、関連付け記憶部５４６を参照し、当該の映像出力インターフェースに関連付けられている映像出力インターフェースがあるか否かを確認する（ステップＳ２０１）。
【０１０７】
そして、関連付けられている映像出力インターフェースがない場合は（ステップＳ２０２否定）、監視制御装置６００へ当該の映像出力インターフェースの映像ＩＤを通知するように監視制御装置対応部５４１に依頼し（ステップＳ２０９）、映像ＩＤ変化フラグの値を「０」にリセットした後（ステップＳ２１０）、誤配信検出処理を終了する。
【０１０８】
関連付けられている映像出力インターフェースが存在する場合は（ステップＳ２０２肯定）、関連付けられている映像出力インターフェースの映像ＩＤを取得する（ステップＳ２０３）。そして、取得した映像ＩＤが、当該の映像出力インターフェースが受信している映像の映像ＩＤの０系と１系のいずれとも相違する場合は（ステップＳ２０４肯定）、当該の映像出力インターフェースからの映像出力を停止させ（ステップＳ２０５）、ステップＳ２０９とステップＳ２１０を実行した後、誤配信検出処理を終了する。
【０１０９】
取得した映像ＩＤが、当該の映像出力インターフェースが受信している映像の映像ＩＤの０系と１系の一方のみと相違する場合は（ステップＳ２０４否定、ステップＳ２０６肯定）、映像ＩＤが相違している系のクロスコネクトを解除するようにスイッチ制御部５４３に依頼し、さらに、その旨を監視制御装置６００へ通知するように監視制御装置対応部５４１に依頼し（ステップＳ２０７）、ステップＳ２０９とステップＳ２１０を実行した後、誤配信検出処理を終了する。
【０１１０】
取得した映像ＩＤが、当該の映像出力インターフェースが受信している映像の映像ＩＤの０系と１系の双方と一致する場合は（ステップＳ２０４否定、ステップＳ２０６否定）、当該の映像出力インターフェースからの映像出力が停止していればそれを開始させ（ステップＳ２０８）、ステップＳ２０９とステップＳ２１０を実行した後、誤配信検出処理を終了する。
【０１１１】
図９に示した誤配信検出処理の処理手順では、関連付けられている映像出力インターフェースの映像ＩＤが、当該の映像出力インターフェースが受信している映像の映像ＩＤの０系と１系のいずれとも相違する場合に、映像出力を停止させている。この場合、映像出力は、監視制御装置６００が経路等の再設定を行った後、もしくは、監視制御装置６００の指示に従って、予約ＩＤ検出経路が当該の映像出力インターフェースへ接続されるようにスイッチ５３０のクロスコネクトが変更された後に映像出力が再開される。
【０１１２】
なお、障害を早期に解消させるため、図１０の処理手順に示すように、ステップＳ２０５をステップＳ３０５に変更し、当該の映像出力インターフェースからの映像出力を停止させる代わりに、予約ＩＤ検出経路が当該の映像出力インターフェースへ接続されるようにスイッチ制御部５４３に依頼し、さらに、その旨を監視制御装置６００へ通知するように監視制御装置対応部５４１に依頼することとしてもよい。
【０１１３】
上述してきたように、本実施例では、第１の映像出力インターフェースが映像を受信する経路を第１の経路から第２の経路へ変更するのに先立って、第２の経路から送信される映像と同一の映像を第２の映像出力インターフェースにて受信させ、第１の映像出力インターフェースが映像を受信する経路を第１の経路から第２の経路へ変更した後に、第１の映像出力インターフェースが受信する映像と第２の映像出力インターフェースが受信する映像との同一性を検証するように構成したので、映像切り替え時に誤った映像を受信した場合に、映像受信装置単独の判断で映像の出力停止等の対応を迅速に実行することができる。
【０１１４】
（付記１）ネットワークを経由して送信されたパケットを受信する複数のネットワークインターフェースと、
前記パケットに含まれる映像を識別するための映像ＩＤを検出し、前記パケットに含まれる映像を取り出して出力する複数の映像出力インターフェースと、
前記ネットワークインターフェースと前記映像出力インターフェースとを任意の組合せで接続するスイッチと、
前記ネットワークインターフェース、前記映像出力インターフェースおよび前記スイッチを制御する制御手段と
を備えた映像受信装置であって、
前記制御手段は、第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと異なっているときは、前記第１の映像出力インターフェースからの映像出力を停止させることを特徴とする映像受信装置。
【０１１５】
（付記２）前記制御手段は、前記第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと一致するときは、前記第１の映像出力インターフェースからの映像出力を開始させることを特徴とする付記１に記載の映像受信装置。
【０１１６】
（付記３）前記制御手段は、前記第１の映像出力インターフェースによって検出される映像ＩＤが変化した場合に、変化後の映像ＩＤが、前記第１の映像出力インターフェースと予め関連付けられた第２の映像出力インターフェースによって検出される映像ＩＤと異なっているときは、前記第１の映像出力インターフェースからの映像出力を停止させる代わりに、前記第２の映像出力インターフェースと接続されているネットワークインターフェースが前記第１の映像出力インターフェースに接続されるように前記スイッチを設定することを特徴とする付記１に記載の映像受信装置。
【０１１７】
（付記４）前記第２の映像出力インターフェースは、受信する映像の品質を検証する映像品質検証手段を備えることを特徴とする付記１〜３のいずれか一つに記載の映像受信装置。
【０１１８】
（付記５）前記第２の映像出力インターフェースは、映像を受信する経路の通信の品質を検証する通信品質検証手段を備えることを特徴とする付記１〜４のいずれか一つに記載の映像受信装置。
【０１１９】
（付記６）前記第１の映像出力インターフェースは、２つのネットワークインターフェースで受信された同一の映像の一方を出力する映像出力インターフェースであって、
前記制御手段は、前記第１の映像出力インターフェースによって検出される映像ＩＤが変化した場合に、変化後の映像ＩＤの一方のみが、前記第１の映像出力インターフェースと予め関連付けられた第２の映像出力インターフェースによって検出される映像ＩＤと異なっているときは、前記第１の映像出力インターフェースからの映像出力を停止させる代わりに、前記第２の映像出力インターフェースと異なる映像ＩＤが検出されている映像を受信しているネットワークインターフェースと前記第１の映像出力インターフェースの接続を解除するように前記スイッチを設定することを特徴とする付記１に記載の映像受信装置。
【０１２０】
（付記７）ネットワークを経由して送信されたパケットに含まれるデータを映像へ変換して出力する複数の映像出力インターフェースを備える映像受信装置における映像の誤配信を防止するための誤配信防止方法であって、
第１の映像出力インターフェースが映像を受信する経路を第１の経路から第２の経路へ変更するのに先立って、前記第２の経路から送信される映像と同一の映像を第３の経路を介して前記第２の映像出力インターフェースにて受信させる予備受信工程と、
前記第１の映像出力インターフェースが映像を受信する経路を前記第１の経路から前記第２の経路へ変更した後に、前記第１の映像出力インターフェースが受信する映像と前記第２の映像出力インターフェースが受信する映像との同一性を検証する同一性検証工程と
を含んだことを特徴とする誤配信防止方法。
【０１２１】
（付記８）前記第１の映像出力インターフェースが映像を受信する経路を前記第１の経路から前記第２の経路へ変更するのに先立って、前記第２の映像出力インターフェースにて受信される映像の品質を検証する映像品質検証工程をさらに含んだことを特徴とする付記７に記載の誤配信防止方法。
【０１２２】
（付記９）前記第１の映像出力インターフェースが映像を受信する経路を前記第１の経路から前記第２の経路へ変更するのに先立って、前記第２の経路の品質を検証する通信品質検証工程をさらに含んだことを特徴とする付記７または８に記載の誤配信防止方法。
【産業上の利用可能性】
【０１２３】
以上のように、本発明に係る映像受信装置および誤配信防止方法は、ネットワークを介した映像の伝送に有用であり、特に、映像の誤配信を有効に防止するとともに、障害からの迅速な復旧を実現することが必要な場合に適している。
【図面の簡単な説明】
【０１２４】
【図１】本実施例に係る誤配信防止方法の概要について説明するための説明図である。
【図２】本実施例に係る誤配信防止方法の概要について説明するための説明図である。
【図３】映像受信装置の構成を示す機能ブロック図である。
【図４】映像出力インターフェースの構成を示す機能ブロック図である。
【図５】状態レジスタの一例を示す図である。
【図６】制御部の構成を示す機能ブロック図である。
【図７】関連付け記憶部に記憶される情報の一例を示す図である。
【図８】映像出力制御部の処理手順を示すフローチャートである。
【図９】誤配信検出処理の処理手順を示す図である。
【図１０】関連付け記憶部に記憶される情報の一例を示す図である。
【図１１】従来の誤配信防止方法の概要について説明するための説明図である。
【図１２】従来の誤配信防止方法の概要について説明するための説明図である。
【図１３】従来の誤配信防止方法の概要について説明するための説明図である。
【図１４】映像を二重化して伝送する例を示す図である。
【符号の説明】
【０１２５】
１０  ネットワーク
２１〜２３  経路
３０  ネットワーク
４１〜４５  経路
１０１〜１０３  映像送信装置
２００  映像受信装置
２１０  映像出力インターフェース
３００  監視制御装置
４０１〜４０４  映像送信装置
５００、５０１  映像受信装置
５１０1〜５１０m  映像出力インターフェース
５１１1、５１１2  ＩＤ検出部
５１２  無中断制御部
５１３  通信品質検証部
５１４  デコーダ
５１５  映像品質検証部
５１６  状態レジスタ
５２０1〜５２１n  ネットワークインターフェース
５３０  スイッチ
５４０  制御部
５４１  監視制御装置対応部
５４２  ネットワーク制御部
５４３  スイッチ制御部
５４４  映像出力制御部
５４５  スケジュール記憶部
５４６  関連付け記憶部
５５０  クロック
６００  監視制御装置
【図１】
0004783673.tif 000002
【図２】
0004783673.tif 000003
【図３】
0004783673.tif 000004
【図４】
0004783673.tif 000005
【図５】
0004783673.tif 000006
【図６】
0004783673.tif 000007
【図７】
0004783673.tif 000008
【図８】
0004783673.tif 000009
【図９】
0004783673.tif 000010
【図１０】
0004783673.tif 000011
【図１１】
0004783673.tif 000012
【図１２】
0004783673.tif 000013
【図１３】
0004783673.tif 000014
【図１４】
0004783673.tif 000015